【手続補正書】
【提出日】平成16年6月1日(2004.6.1)
【手続補正１】
【補正対象書類名】明細書
【補正対象項目名】特許請求の範囲
【補正方法】変更
【補正の内容】
【特許請求の範囲】
【請求項１】  筆記具用の非蛍光インク組成物であって、アルキド樹脂中に予備分散した非蛍光顔料と、高沸点炭化水素溶剤と酸化防止剤及びアンチスキニング剤とから成る群から選ばれる少くとも一種の安定剤とを含み、該インク組成物の前記安定剤が前記樹脂の重合を防止し、かつ該インク組成物が筆記具に使用可能な粘度を有する、非蛍光インク組成物。
【請求項２】  前記粘度が、20℃で500,000cPs未満である、請求項１の非蛍光インク組成物。
【請求項３】  前記インク組成物が、20℃で1000〜50,000cPsの粘度を有する、請求項２の非蛍光インク組成物。
【請求項４】  該組成物が不均一なインク組成物である、請求項１のインク組成物。
【請求項５】  前記アルキド樹脂が脂肪酸変性アルキド樹脂である、請求項１のインク組成物。
【請求項６】  前記アルキド樹脂が油変性アルキド樹脂である、請求項１のインク組成物。
【請求項７】  さらに第２樹脂を含む、請求項１のインク組成物。
【請求項８】  前記第２樹脂が、該インク組成物の0.1〜50質量％の量で存在する、請求項７のインク組成物。
【請求項９】  前記第２樹脂が、該インク組成物の１〜20質量％の量で存在する、請求項８のインク組成物。
【請求項１０】  前記第２樹脂が、ポリエステル、ポリスチレン、高衝撃性ポリスチレン、スチレンコポリマー、アクリロニトリルブタジエンコポリマー、ポリイソブチレン、ポリ塩化ビニル、ポリ塩化ビニリデン、ポリビニルアセタール、ポリアクリロニトリル、ポリアクリレート、ポリメタクリレート、ポリメチルメタクリレート、ポリブタジエン、エチレン酢酸ビニル、ポリアミド、ポリイミド、ポリオキシメチレン、ポリスルホン、ポリフェニレンスルフィド、ポリビニルエステル、メラミン、ビニルエステル、エポキシ樹脂、ポリカーボネート、ポリウレタン、ポリエーテルスルホン、ポリアセタール、フェノール樹脂、ポリエステルカーボネート、ポリエーテル、ポリエチレンテレフタレート、ポリトリメチレンテレフタレート、ポリブチレンテレフタレート、ポリアリーレート、ポリアリーレンスルフィド、ポリケトン、ポリエチレン、高密度ポリエチレン、ポリプロピレン、エステルガム、炭化水素樹脂及びそれらのコポリマー、それらのグラフト、それらのブレンド、及びそれらの混合物から成る群より選択される、請求項７のインク組成物。
【請求項１１】  前記炭化水素溶剤が100℃より高い沸点を有する、請求項１のインク組成物。
【請求項１２】  前記炭化水素溶剤が、200℃より高い沸点を有する、請求項１１のインク組成物。
【請求項１３】  前記炭化水素溶剤が、脂肪族炭化水素、ナフテン系炭化水素、芳香族炭化水素及びそれらの混合物から成る群より選択される、請求項１のインク組成物。
【請求項１４】  前記炭化水素溶剤が、該インク組成物の１〜90質量％である、請求項１の非蛍光インク組成物。
【請求項１５】  前記炭化水素溶剤が、該インク組成物の20〜65質量％である、請求項１の非蛍光インク組成物。
【請求項１６】  前記安定剤が、該インク組成物の0.1〜30質量％の量で存在する、請求項１のインク組成物。
【請求項１７】  前記安定剤が、該インク組成物の0.1〜10質量％の量で存在する、請求項１６のインク組成物。
【請求項１８】  前記安定剤が酸化防止剤である、請求項１のインク組成物。
【請求項１９】  前記酸化防止剤が、トコフェロール、ブチル化ヒドロキシトルエン、オイゲノール及びヒドロキノンから成る群より選択される、請求項１８のインク組成物。
【請求項２０】  前記酸化防止剤が、該インク組成物の0.1〜30質量％の量で存在する、請求項１８のインク組成物。
【請求項２１】  さらに可塑剤を含む、請求項１のインク組成物。
【請求項２２】  前記可塑剤が、2,2,4-トリメチル-1,2-ペンタンジオールジイソブチレートである、請求項２１のインク組成物。
【請求項２３】  前記可塑剤が、該インク組成物の0.1〜40質量％の量で存在する、請求項２１のインク組成物。
【請求項２４】  前記可塑剤が、該インク組成物の１〜20質量％の量で存在する、請求項２３のインク組成物。
【請求項２５】  前記可塑剤が、２〜15質量％の量で存在する、請求項２４のインク組成物。
【請求項２６】  前記安定剤がアンチスキニング剤である、請求項１のインク組成物。
【請求項２７】  前記アンチスキニング剤がオキシムである、請求項２６のインク組成物。
【請求項２８】  前記アンチスキニング剤がメチルエチルケトオキシムである、請求項２６のインク組成物。
【請求項２９】  前記アンチスキニング剤が、該インク組成物の0.1〜２質量％の量で存在する、請求項２６のインク組成物。
【請求項３０】  さらに潤滑剤を含む、請求項１のインク組成物。
【請求項３１】  前記潤滑剤が、アミド、シリコーン、液体ポリオレフィン及び脂肪酸金属塩から成る群より選択される、請求項３０のインク組成物。
【請求項３２】  前記潤滑剤が、液体ポリエチレンワックスである、請求項３０のインク組成物。
【請求項３３】  前記潤滑剤が、該インク組成物の0.1〜30質量％の量で存在する、請求項３０のインク組成物。
【請求項３４】  前記潤滑剤が、該インク組成物の１〜15質量％の量で存在する、請求項３３のインク組成物。
【請求項３５】  前記非蛍光顔料が、該インク組成物の0.1〜60質量％の量で該インク組成物中に存在する、請求項１の非蛍光インク組成物。
【請求項３６】  前記非蛍光顔料が、有機顔料、無機顔料、金属顔料、リン光顔料、ホトクロミック顔料、サーモクロミック顔料、虹色顔料、真珠光沢顔料及び液晶顔料から成る群より選択される、請求項１のインク組成物。
【請求項３７】  アルキド樹脂中に予備分散した非蛍光顔料と、高沸点炭化水素溶剤と酸化防止剤及びアンチスキニング剤とから成る群から選ばれる少くとも一種の安定剤とを含み、該インク組成物の前記安定剤が前記樹脂の重合を防止する、筆記具用非蛍光インク組成物を含有するインク貯蔵部材を含んでなる筆記具。
【請求項３８】  前記インク貯蔵部材が、ポリエステル、ポリスチレン、高衝撃性ポリスチレン、スチレン-ブタジエンコポリマー、衝撃性改良スチレン-ブタジエンコポリマー、スチレンアクリロニトリルコポリマー、アクリロニトリルブタジエンコポリマー、ポリイソブチレン、ポリ塩化ビニル、ポリ塩化ビニリデン、ポリビニルアセタール、ポリアクリロニトリル、ポリアクリレート、ポリメタクリレート、ポリメチルメタクリレート、ポリブタジエン、エチレン酢酸ビニル、ポリアミド、ポリイミド、ポリオキシメチレン、ポリスルホン、ポリフェニレンスルフィド、ポリビニルエステル、メラミン、ビニルエステル、エポキシ樹脂、ポリカーボネート、ポリウレタン、ポリエーテルスルホン、ポリアセタール、フェノール樹脂、ポリエステルカーボネート、ポリエーテル、ポリエチレンテレフタレート、ポリトリメチレンテレフタレート、ポリブチレンテレフタレート、ポリアリーレート、ポリアリーレンスルフィド、ポリケトン、ポリエチレン、高密度ポリエチレン、ポリプロピレン、フルオロポリマー、それらのコポリマー、グラフト、ブレンド、及び混合物から成る群より選択されるポリマー材料から製造される、請求項３７の筆記具。
【請求項３９】  前記ポリマー材料が、フッ素化又はコロナ酸化による表面処理で変性される、請求項３８の筆記具。
【請求項４０】  前記インク貯蔵部材が、フルオロポリマー、ナイロン及びフッ素化ポリエチレンからなる群より選択される請求項３７の筆記具。
【請求項４１】  該筆記具がインク吸収性表面上で使用できる、請求項３７の筆記具。
【請求項４２】  該筆記具がボールペンである、請求項３７の筆記具。
【請求項４３】 前記非蛍光顔料が真珠光沢顔料である、請求項３６のインク組成物。
【請求項４４】 前記非蛍光顔料が金属フレーク顔料である、請求項３６のインク組成物。